(57)【特許請求の範囲】
【請求項１】
行電極群と列電極群との間に液晶層を保持してＮ行×Ｍ列のマトリクス状に画素を設けた液晶表示パネルを、複数行で構成されたフレーム変調パターンを用いて、与えられた画素データに従って階調表示を行なうための液晶表示パネルの駆動方式であって、
前記フレーム変調パターンを構成する行数をｐとしたときに、前記行電極群を走査する順番が（ｐ−１）本の間隔をおいて選択されることを特徴とする液晶表示パネルの駆動方法。
【請求項２】
前記フレーム変調パターンを構成する行数が２行であり、前記行電極群を走査する行の順番が１本おきに選択されていくことを特徴とする請求項１の液晶表示パネルの駆動方法。
【発明の詳細な説明】
【０００１】
【発明の属する技術分野】
本発明は、ＳＴＮ液晶等を用いた単純マトリクス型液晶表示パネルを駆動する方法に関し、特に、フレーム変調による中間調表示に適した低消費電力の液晶表示パネルの駆動方法に関する。
【０００２】
【従来の技術】
単純マトリクス型液晶表示パネルは、行電極群と列電極群との間に液晶層を保持してマトリクス状の画素を設けて構成されたものである。そして、この単純マトリクス型液晶表示パネルの駆動方法として、電圧平均化法、ＳＡ法、ＭＬＡ法等がある。
【０００３】
電圧平均化法は、各行電極を順次１本づつ選択し、選択されるタイミングに合わせて、全列電極にＯＮ／ＯＦＦに相当するデータ信号を与える単純マトリクス型液晶表示パネルの駆動方法である。従って、各画素に印加される電圧は、全行電極を選択する１フレーム周期Ｔに１回だけ高い印加電圧となり、残りの非選択時間は一定のバイアス電圧となる。この電圧平均化法では、使用される液晶材料の応答速度が遅い場合には、１フレーム周期における印加電圧波形の実効値に応じた輝度の変化が得られ、実用上適度のコントラストを維持する。しかしながら、分割数を大きくとりフレーム周波数が下がると、１フレーム周期と液晶の応答時間との差が小さくなり、液晶は印加されたパルス毎に応答し、フレーム応答現象と呼ばれる輝度のチラツキが現われコントラストが低下する。
【０００４】
ＳＡ法はスマート・アドレッシング法と呼ばれる単純マトリクス型液晶表示パネルの駆動方法である。電圧平均化法とＳＡ法は、いずれも各行電極を順次１本づつ選択し、選択されるタイミングに合わせて全列電極にＯＮ／ＯＦＦに相当するデータ信号を与えるものであるが、隣り合うフレームのコモンの非選択レベルが前者では異なり、後者では同じである。
【０００５】
ＭＬＡ法は複数ライン同時選択法とも呼ばれるものであり、複数の行電極を同時に選択することによって、見掛けの高周波数化を図り、電圧平均化法で問題となったフレーム応答現象を抑制するものである。複数の行電極を同時に選択しながら、且つ各画素を独立に表示させるようにするために、ＭＬＡ法には独特の工夫が採用されている。それは、直交関数の組により表される複数の行信号を選択時間毎に組順次で行電極群に印加する組順次走査を行うと共に、直交関数の組と選ばれた画素データの組との積和演算を逐次行い、その結果に応じた電圧レベルを有する列信号を前記組順次走査に同期して前記選択時間中に列電極群に印加するという工夫である。
【０００６】
なお、ＭＬＡ法は特開平５−１００６４２号公報、特開平６−２７９０７号公報、特開平７−７２４５４号公報、特開平７−１９３６７9号公報、特開平７−１９９８６３号公報、特開平７−３１１５６４号公報、特開平８−１８４８０７号公報、特開平８−１８４８０８号公報、特開２０００−１９４８２号公報等に開示されている。
【０００７】
次に、単純マトリクス型液晶表示パネルの多階調表示方法には、パルス幅変調方式とフレーム変調方式が一般的であるが、後者は安価な手法として技術的にも確立されたものである。フレーム変調方式は、ＯＮ／ＯＦＦの２階調を複数フレームにわたって選択的にＯＮ／ＯＦＦし、時間的な平均値を利用して２以上の階調を与える方式である。そして、単純マトリクス型液晶表示パネルの中間調表示は、駆動方法と多階調表示方法の組み合わせで実現されている。
【０００８】
ここで、多階調表示方法にはフレーム変調方式を採用し、電圧平均化法、ＳＡ法、ＭＬＡ法で夫々駆動した場合の単純マトリクス型液晶表示パネルの消費電力について検討してみる。なお、フレーム変調は１行毎、又は１画素毎のいずれかである。
【０００９】
図２は、単純マトリクス型液晶表示パネルに適用された５階調フレーム変調パターンの一例を示す。図２において、階調レベル０では、第１フレームから第４フレームまで、単純マトリクス型液晶表示パネルの行と列の交点の値は全て０（ＯＦＦ）で表されている。ここに、前記単純マトリクス型液晶表示パネルは、Ｎ行×M列のマトリクスを有するものとする。
【００１０】
階調レベル１では、単純マトリクス型液晶表示パネルの（２ｎ＋１）行と第１フレームの奇数列との交点、（２ｎ＋１）行と第２フレームの偶数列との交点、（２ｎ＋２）行と第３フレームの奇数列との交点、及び（２ｎ＋２）行と第４フレームの偶数列との交点の画素には１（ＯＮ）が、その他の画素には０（ＯＦＦ）が与えられている。ここに、ｎは０からＮ／２までの整数である。従って（２ｎ＋１）行は奇数行、（２ｎ＋２）行は隣り合う偶数行を表す。
【００１１】
階調レベル２では、単純マトリクス型液晶表示パネルの（２ｎ＋１）行と第１フレームの奇数列との交点、（２ｎ＋２）行と第１フレームの偶数列との交点、（２ｎ＋１）行と第２フレームの偶数列との交点、（２ｎ＋１）行と第３フレームの奇数列との交点、（２ｎ＋２）行と第３フレームの偶数列との交点、（２ｎ＋１）行と第４フレームの奇数列との交点、及び（２ｎ＋２）行と第４フレームの偶数列との交点の画素には１（ＯＮ）が、その他の画素には０（ＯＦＦ）が与えられている。
【００１２】
階調レベル３では、単純マトリクス型液晶表示パネルの（２ｎ＋１）行と第１フレームの奇数列との交点、（２ｎ＋１）行と第２フレームの偶数列との交点、（２ｎ＋２）行と第３フレームの奇数列との交点、及び（２ｎ＋２）行と第４フレームの偶数列との交点の画素には０（ＯＦＦ）が、その他の画素には１（ＯＮ）が与えられている。
【００１３】
階調レベル４では、第１フレームから第４フレームまで、単純マトリクス型液晶表示パネルの行と列の交点の画素には全て１（ＯＮ）が与えられている。
【００１４】
先ず、電圧平均化法又はＳＡ法で駆動されている単純マトリクス型液晶表示パネルに図２の５階調フレーム変調パターンに基づいたフレーム変調方式が適用されて多階調表示を行う場合で、画面の上から下へ走査した場合の列電極波形は図５（ａ）と図５（ｂ）の如くとなる。但し、説明を簡単にするために、表示されるデータは中間調１色のデータであるものとする。
【００１５】
即ち、図５（ａ）は、図２の５階調フレーム変調パターンにおいて、或る列電極と（２ｎ＋１）行電極と（２ｎ＋２）行電極との夫々の交点の画素が共にＯＮ又はＯＦＦの場合の列電極波形を、斜線を付けた波形部分で示したものである。この場合の列電極波形のレベルは、１フレーム周期Ｔの選択時間Ｔにおいては＋１／√Ｎ、残りの非選択時間（Ｔ−ｔ）においては−１／√Ｎである。次のフレームは反転し、同様の列電圧波形を呈する。従って、中間の階調レベルで上下の行が共にＯＮ又はＯＦＦされる場合、１フレームにおける列電極波形の変化回数は１回である。
【００１６】
また、図５（ｂ）は、図２の５階調フレーム変調パターンにおいて、或る
列電極と（２ｎ＋１）行電極と（２ｎ＋２）行電極との夫々の交点の画素の一方がＯＮで他方がＯＦＦの場合の列電極波形を、斜線を付けた波形部分で示したものである。この場合の列電極波形のレベルは、１フレーム周期Ｔの選択時間ｔにおいては＋１／√Ｎである。残りの非選択時間（Ｔ−ｔ）においては、最初のｔは−１／√Ｎ、続くｔは＋１／√Ｎ、以後は最後のｔまで同様に変化する。次のフレームは反転し、同様の列電圧波形を呈する。従って、中間の階調レベルで行が１本おきにＯＮ、ＯＦＦされる場合、１フレームにおける列電極波形の変化回数は行電極の本数と同じＮ回である。
【００１７】
次に、ＭＬＡ法で駆動されている単純マトリクス型液晶表示パネルに、図２の５階調フレーム変調パターンに基づいたフレーム変調方式が適用されて多階調表示を行う場合で、画面の上から下に順に走査された場合は、その列電極波形は図７（ａ）と図７（ｂ）の如くとなる。なお、説明を簡単にするために、表示されるデータは中間調１色のデータであるものとする。
【００１８】
ところで、ＭＬＡ駆動法には非分散型と分散型がある。非分散型ＭＬＡ駆動法においては、同時選択された複数の行電極に、直交関数表で与えられる行関数電圧が１フレーム期間中に分散されないで印加される。これに対して分散型ＭＬＡ駆動法においては、同時選択された複数の行電極に、直交関数表で与えられる行関数電圧が１フレーム期間中に分散されて印加される。
【００１９】
非分散型ＭＬＡ駆動法を図３の直交関数表を用いて説明すると、第１の選択時間ｔにおいては、第（２ｎ＋１）行、第（２ｎ＋２）行、第（２ｎ＋３）行及び第（２ｎ＋４）行の４本の電極に１、−１、−１及び−１に対応する電圧が夫々印加される。同じ４本の行電極に、次の第２の選択時間ｔにおいては−１、１、−１及び−１に対応する電圧が、続く第３の選択時間ｔにおいては−１、−１、１及び−１に対応する電圧が、更にまた、第４の選択時間ｔにおいては−１、−１、−１及び１に対応する電圧が、夫々印加される。このようにして、同時選択された複数の行電極に直交関数表で与えられる行関数電圧が分散されないで印加される。従って、図３の直交関数表を用いて４本づつ同時選択される非分散型ＭＬＡ法の場合、選択時間は４ｔ、非選択時間は（Ｔ−４ｔ）となる。
【００２０】
図７（ａ）は、図２の５階調フレーム変調パターンにおいて、或る列電極と（２ｎ＋１）行電極と（２ｎ＋２）行電極との夫々の交点の画素が共にＯＮ又はＯＦＦの場合の列電極波形を、斜線を付けた波形部分で示したものである。この場合の列電極波形のレベルは、１フレーム周期Ｔの選択時間４ｔの最初のｔにおいて＋２／√Ｎ、続く３ｔにおいて−２／√Ｎ、残りの非選択時間（Ｔ−４ｔ）においては−２／√Ｎである。次の１フレームは反転し、同様の列電圧波形を呈する。従って、中間の階調レベルで上下の行が共にＯＮ又はＯＦＦされる場合、１フレームにおける列電極波形の変化回数は１回である。
【００２１】
図７（ｂ）は、図２の５階調フレーム変調パターンにおいて、或る列電極と（２ｎ＋１）行電極と（２ｎ＋２）行電極との夫々の交点の画素の一方がＯＮで他方がＯＦＦの場合の列電極波形を、斜線を付けた波形部分で示したものである。この場合の列電極波形のレベルは、１フレーム周期Ｔの選択時間４ｔにおいては、最初のｔにおいて＋２／√Ｎ、続く３ｔにおいて−２／√Ｎである。残りの非選択時間（Ｔ−４ｔ）においては、最初の４ｔは−２／√Ｎ、続く４ｔは＋２／√Ｎ、以後は最後の４ｔまで同様に繰り返し変化する。次の１フレームは反転し、同様の列電圧波形を呈する。従って、中間の階調レベルで行が１本おきにＯＮ、ＯＦＦされる場合、１フレームにおける列電極波形の変化回数はＮ／８回である。
【００２２】
なお、分散型ＭＬＡ法で駆動しても、１フレームにおける列電極波形の変化回数は、中間の階調レベルで上下の行が共にＯＮ又はＯＦＦされる場合は１回、中間の階調レベルで行が１本おきにＯＮ、ＯＦＦされる場合はＮ／８回である。
【００２３】
ところで、液晶パネルの消費電力は、行電極と列電極との間の自由放電電流により定まる。換言すれば、液晶パネルの消費電力は行電極と列電極との間の電圧の値及び波形(変化量)により定まる。
【００２４】
ところが、フレーム変調方式で多階調表示を行う単純マトリクス型液晶パネルにおいて、電圧平均化法、ＳＡ法、ＭＬＡ法で夫々駆動し、且つ画面の上から下に順に走査すると、列電極波形は１フレームの間に図５（ｂ）の場合にはＮ回、図７（ｂ）の場合にはＮ／８回の如く、多数回の変化を行う。即ち、従来の画面の上から下に順に走査する走査方式では、電圧平均化法、ＳＡ法、又はＭＬＡ法で駆動され、且つフレーム変調方式が適用された多階調表示を行う単純マトリクス型液晶パネルでは、１フレームの間に発生する列電極波形の多数回の変化に基づく消費電力が存在するという問題がある。
【００２５】
【発明が解決しようとする課題】
解決しようとする課題は、表示品質を低下させないで、且つ行電極と列電極との間の波形の変化回数を抑制し、単純マトリクス型液晶パネルの消費電力を減少させることである。
【００２６】
【課題を解決するための手段】
上記課題を解決するために、電圧平均化法、ＳＡ法又はＭＬＡ法で駆動される単純マトリクス型液晶パネルの画面表示が、背景色もしくは主に使われている表示データで階調を頻繁に且つ大きく変わることがないという事実に着目して、本発明を構成した。
【００２７】
即ち、行電極群と列電極群との間に液晶層を保持してマトリクス状に画素を設けた液晶表示パネルを、階調方式としてフレーム変調を用い、与えられた画素データに従って駆動する液晶表示パネルの駆動方法において、行電極群を走査する順番を、背景色もしくは表示画面に主に使われている表示データのフレーム変調パターンに合わせて不連続に選択する駆動方法とした。
【００２８】
さらに、フレーム変調を１行毎に行い、その中間の階調レベルで行が１本おきにＯＮ、ＯＦＦされる場合に、選択する行を１本おきに選択することとした。
【００２９】
また、フレーム変調を１画素毎に行い、その中間の階調レベルで画素が列方向及び行方向に１画素おきにＯＮ、ＯＦＦされる場合に、選択する行を１本おきに選択することとした。
【００３０】
【発明の実施の形態】
先ず、電圧平均化法又はＳＡ法で駆動されている単純マトリクス型液晶表示パネルに、図２の５階調フレーム変調パターンのフレーム変調方式が適用され多階調表示を行う場合であって、更に本発明に係る不連続な走査方式が適用された場合の列電極波形は、図４（ａ）と図４（ｂ）の如くである。但し、説明を簡単にするために、表示されるデータは中間調１色のデータであるものとする。
【００３１】
即ち、図４（ａ）は、図２の５階調フレーム変調パターンにおいて、或る列電極と（２ｎ＋１）行電極と（２ｎ＋２）行電極との夫々の交点の画素が共にＯＮ又はＯＦＦの場合の列電極波形を、斜線を付けた波形部分で示したものである。この場合の列電極波形のレベルは、１フレーム周期Ｔの選択時間ｔにおいて＋１／√Ｎであり、残りの非選択時間（Ｔ−ｔ）においては−１／√Ｎである。次のフレームは反転し、同様の列電圧波形を呈する。
【００３２】
従って、中間の階調レベルで上下の行が共にＯＮ又はＯＦＦされる場合、１フレームにおける列電極波形の変化回数は１回である。要するに、１フレームにおける列電極波形の変化回数は、図４（ａ）に示した従来の画面の上から下に順に行う走査方式も、本発明に係る不連続な選択による走査方式も同じである。
【００３３】
これに対して、図４（ｂ）は、図２の太枠のパターンの場合に本発明の一実施形態を適用して得られた列電極波形を示すものである。即ち、図４（ｂ）は、図２の５階調フレーム変調パターンにおいて、或る列電極と（２ｎ＋１）行電極と（２ｎ＋２）行電極との夫々の交点の画素の一方がＯＮで他方がＯＦＦの場合の本発明の一実施形態における列電極波形を示すものである。
【００３４】
この場合の本発明に係る走査は、Ｎ個の行電極を奇数（２ｎ＋１）行電極群と偶数行電極群に分け、先ず奇数行電極群を順に走査し、続いて偶数行電極群を順に走査するものである。各行電極群における走査の順番は、奇数行電極群の場合は、１行、３行、５行、７行の如く、また偶数行電極群の場合は、２行、４行、６行、８行の如く、画面の上から下に順に行う。しかしながら、各行電極群における走査の順番は、画面の下から上へ順に行うことは勿論のこと、その他の順番付で行うことも可能である。
【００３５】
このような実施例の不連続選択による走査方式が適用されたことにより、図４（ｂ）における列電極波形のレベルは、１フレーム周期Ｔの選択時間ｔにおいて＋１／√Ｎである。残りの非選択時間（Ｔ−ｔ）においては、最初のＴ／２は−１／√Ｎ、続く（Ｔ−２ｔ）／２は＋１／√Ｎである。次の１フレームは反転し、同様の列電圧波形を呈する。このように、１フレーム周期Ｔにおいて、列電極電圧のレベルは＋２／√Ｎから−２／√Ｎへ１回、−２／√Ｎから＋２／√Ｎへ１回、合計２回変化する。
【００３６】
従って、中間の階調レベルで行が１本おきにＯＮ、ＯＦＦされる場合、１フレームにおける列電極波形の変化回数は、本発明に係る不連続選択による走査方式を適用した場合は、図５（ｂ）に示した従来の画面の上から下に順に行う走査方式の場合のＮ回に比べると、大幅に減少した。
【００３７】
次に、非分散型のＭＬＡ法で駆動されている単純マトリクス型液晶表示パネルに、図２の５階調フレーム変調パターンのフレーム変調方式が適用された多階調表示を行う場合であって、本発明に係る不連続な走査方式が適用された場合の列電極波形は、図６（ａ）と図６（ｂ）の如くである。但し、説明を簡単にするために、表示されるデータは中間調１色のデータであるものとする。
【００３８】
即ち、図６（ａ）は、図２の５階調フレーム変調パターンにおいて、或る列電極と（２ｎ＋１）行電極と（２ｎ＋２）行電極との夫々の交点の画素が共にＯＮ又はＯＦＦの場合の列電極波形を、斜線を付けた波形で示したものである。
【００３９】
この場合の本発明に係る走査は、Ｎ個の行電極を奇数（２ｎ＋１）行電極群と偶数（２ｎ＋２）行電極群に分けて行う。例えば４ＭＬＡ法駆動の場合、先ず奇数行電極群を上から順に１行、３行、５行、７行を同時に４本選択し、次に９行、１１行、１３行、１５行を同時に４本選択し、以下（Ｎ−１）行まで同様に４本づつ同時に選択し、これら４本の行電極群の各組を上から順に走査する。続いて、偶数行電極群を上から順に２行、４行、６行、８行と同時に４本選択し、次に１０行、１２行、１４行、１６行を同時に４本選択し、以下Ｎ行まで同様に４本づつ同時に選択し、これら４本の行電極群の各組を上から順に走査する。
【００４０】
既に述べた通り、従来の４ＭＬＡ法駆動の場合は奇数行と偶数行を分けないで、上から順に１行、２行、３行、４行を同時に４本選択し、次に５行、６行、７行、８行を同時に４本選択し、以下Ｎ行まで同様に４本づつ同時に選択し、これら４本の行電極群の各組を上から順に走査していた。これに対して、本発明の４ＭＬＡ法駆動の場合は、奇数行と偶数行にグループ分けし、各グループ内で同時に選択した４本づづの列電極の組を、上から順に又は下から順に走査する不連続な列電極選択による走査方式である。
【００４１】
上述の本発明の４ＭＬＡ法駆動の場合の列電極波形のレベルは、図６（ａ）に示す如く、１フレーム周期Ｔの選択時間４ｔの最初のｔにおいて＋２／√Ｎ、続く３ｔにおいて−２／√Ｎであり、残りの非選択時間（Ｔ−４ｔ）においては−２／√Ｎである。次の１フレームは反転し、同様の列電圧波形を呈する。
【００４２】
従って、中間の階調レベルで上下の行が共にＯＮ又はＯＦＦされる場合、１フレームにおける列電極波形の変化回数は１回である。要するに、この場合の１フレームにおける列電極波形の変化回数は、図７（ａ）に示した従来の画面の上から下に順に行う走査方式も、本発明に係る不連続な選択による走査方式も同じである。
【００４３】
これに対して、図６（ｂ）は、図２の太枠のパターンの場合に本発明の一実施形態を適用して得られた列電極波形を示す。即ち、図６（ｂ）は、図２の５階調フレーム変調パターンにおいて、或る列電極と（２ｎ＋１）行電極と（２ｎ＋２）行電極との夫々の交点の画素の一方がＯＮで他方がＯＦＦの場合の本発明の一実施形態における列電極波形を示したものである。
【００４４】
この場合の列電極波形のレベルは、１フレーム周期Ｔの選択時間４ｔの最初のｔにおいて＋２／√Ｎ、続く３ｔにおいて−２／√Ｎである。残りの非選択時間（Ｔ−４ｔ）においては、最初の（Ｔ／２−３ｔ）は−２／√Ｎ、続く（Ｔ−２ｔ）／２は＋２／√Ｎである。このように、１フレーム周期Ｔにおいて、列電極電圧のレベルは＋２／√Ｎから−２／√Ｎへ１回、−２／√Ｎから＋２／√Ｎへ１回、合計２回変化する。
【００４５】
従って、中間の階調レベルで行が１本おきにＯＮ、ＯＦＦされる場合、１フレームにおける列電極波形の変化回数は、本発明に係る不連続選択による走査方式を適用した場合は、図７（ｂ）に示した従来の画面の上から下に順に行う走査方式の場合のＮ回／８回に比べると、大幅に減少した。
【００４６】
以上、階調方式としてフレーム変調を用い、且つ行電極群を走査する順番を背景色もしくは主に使われている表示データのフレーム変調パターンと合わせて列電極群の波形変化が最小になるように不連続に選択する本発明に係る液晶表示パネルの駆動方法において、フレーム変調パターンとして図２の５階調フレーム変調パターンを用い、列電極群の波形変化が最小になるように不連続に選択する方法を列電極群を奇数行と偶数行とに分けて電圧平均化法とＳＡ法では１本づつ、ＭＬＡ法では所定の複数本づつ同時に選択する方法を具体的に説明した。しかしながら、フレーム変調パターンも、列電極群の波形変化が最小になるように不連続に選択する方法もこれらに限定されるものではないことは勿論である。
【００４７】
次に、本発明が適用されたＭＬＡ法の液晶表示パネル駆動装置の一例を、図１を参照して説明する。即ち、図１に示すＭＬＡ法の液晶表示パネル駆動装置は、Ｎ行×Ｍ列の単純マトリクス型液晶表示パネル１、液晶表示パネル１のＮ行の行電極群に行電圧を印加する垂直ドライバー２、液晶表示パネル１のＭ列の列電極群に列電圧を印加する水平ドライバー３、垂直ドライバー２と水平ドライバー３に必要なレベルの電圧を供給する電圧レベル回路４、及び、垂直ドライバー２と水平ドライバー３にクロックパルスを供給する駆動制御手段５を含む。
【００４８】
また、図１に示すＭＬＡ法の液晶表示パネル駆動装置は、複数ビット構成の画像データをフレーム単位で記憶するフレームメモリー６、直交関係にある複数の直交関数を発生し、これを逐次適当に組み合わせたパターンで行選択制御手段１２を介して垂直ドライバー２に与える直交関数発生手段７、及び、フレームメモリー６に記憶されている画素データの組と直交関数の組との積和演算を行って、各ビット桁に対応する列信号を生成し、これを水平ドライバー３に与える積和演算手段８を含む。上記行選択制御手段１２は、１本おきに行を選択するように垂直ドライバー２を制御する手段である。なお、４ＭＬＡ法の液晶表示パネル駆動装置に用いられる直交関数表は、図３に示す如きものである。
【００４９】
更に、図１に示すＭＬＡ法の液晶表示パネル駆動装置は、多階調表示を行うためのフレーム変調パターンを発生するフレーム変調パターン発生手段１１、各種動作のタイミングを同期させるための同期手段９、及び、フレームパターン発生手段１１からのフレーム変調パターンと同期手段９からの同期信号に基づいて、表示されるべき画像データをフォーマット化し、フレームメモリー６に記憶させるメモリー制御手段１０を含む。上記フレーム変調パターンは、５階調の場合、図２に示す如きものである。
【００５０】
なお、図示しないが、本発明が適用された電圧平均化法又はＳＡ法の液晶表示パネル駆動装置も、上述のＭＬＡ法の液晶表示パネル駆動装置と同様に容易に構成できる。
【００５１】
以上詳細に説明した如く、不連続選択走査方式を採用した本発明に係る液晶表示パネル駆動方法は、従来の順次走査方式を採用した液晶表示パネル駆動方法と比較すると、多階調フレーム変調パターンの或る列と（２ｎ＋１）行と（２ｎ＋２）行との夫々の交点の画素が共にＯＮ又はＯＦＦの場合には変わらないが、一方がＯＮで他方がＯＦＦの場合には、列電極の電圧波形の変化回数が極めて少なくなる。行電極は、電圧は高いが、１フレーム内では１回だけの選択であり、接続されたパネルの容量も選択電極分だけである。これに対して、列電極は、電圧は小さいが、表示データにより各電極の電圧波形は異なり、画面全体の電位を変化させなければならない。
【００５２】
要するに、不連続選択走査方式を採用した本発明に係る液晶表示パネル駆動方法は、従来の順次走査方式を採用した液晶表示パネル駆動方法と比較すると、列電極の電圧の変化回数、従って列電極の電圧の変化量が減るので、消費電力を大幅に減らすことができるのである。しかも、不連続選択走査方式を採用したものであっても、実用上の表示品質は低下しない。本発明は、電圧平均化法、ＳＡ法又はＭＬＡ法で駆動される単純マトリクス型液晶パネルの画面表示が、背景色もしくは主に使われている表示データで階調を頻繁に且つ大きく変わることがないという事実に基づいているからである。
【００５３】
なお、実施例の表示パターンは、全面を同一の中間階調レベルで表示した場合であるが、他の表示パターンを表示した場合は、上から順に走査してゆき、階調のレベルが変化した場合のみ列電極の電圧波形が変化するだけで、従来例のように１選択毎に変化しない。また、単数行毎でなく複数行毎にパターンを変化させて構成された階調パターンが用いられる場合にも、本発明は当然のことながら適用できることは言うまでもない。
【００５４】
【発明の効果】
本発明の液晶表示パネルの駆動方法により、表示品質を低下させないで、且つ行電極と列電極との間の波形の変化量を抑制し、単純マトリクス型液晶パネルの消費電力を減少させることができた。
【図面の簡単な説明】
【図１】本発明の液晶表示パネルの駆動方法を適用して構成した単純マトリクス型液晶表示パネル駆動装置のブロック図である。
【図２】５階調のフレーム変調パターンの一例を示す図である。
【図３】４ＭＬＡ法で用いられる直交関数表の一例を示す図である。
【図４】本発明の電圧平均化法又はＳＡ法駆動の波形図である。
【図５】従来の電圧平均化法又はＳＡ法駆動の波形図である。
【図６】本発明のＭＬＡ法駆動の波形図である。
【図７】従来のＭＬＡ法駆動の波形図である。
【符号の説明】
１  単純マトリクス型液晶表示パネル
２  垂直ドライバー
３  水平ドライバー
４  電圧レベル回路
５  駆動制御手段
６  フレームメモリー
７  直交関数発生手段
８  積和演算手段
９  同期手段
１０  メモリー制御手段
１１  フレーム変調パターン発生手段
１２  行選択制御手段
【図１】
0004166936.tif 000002
【図２】
0004166936.tif 000003
【図３】
0004166936.tif 000004
【図４】
0004166936.tif 000005
【図５】
0004166936.tif 000006
【図６】
0004166936.tif 000007
【図７】
0004166936.tif 000008